(57)【特許請求の範囲】
【請求項１】
駆動機からの動力を負荷側の回転軸に伝達する変速機構を備えた破砕装置であって、
前記変速機構は、
上縁部と下縁部が中心線に対して対称となるように形成されたケーシングと、前記中心線上に入力段のギア及び出力段のギアの軸心が位置するように前記ケーシングに収容された変速ギア機構とを備え、
前記ケーシングの前記上縁部と下縁部の双方に当該変速機構を支持体に固定する取付部を備え、
前記ケーシングの前記上縁部と下縁部に連なる一側面に前記駆動機からの動力を前記入力段のギアに伝達する動力入力部を設けるとともに、前記ケーシングの他側面に前記出力段のギアからの動力を前記回転軸に伝達する動力出力部を設けて、
前記出力段のギアに連結された出力軸を支持するとともに、前記負荷側の回転軸からのラジアル荷重を前記ケーシングで受けるように前記ケーシングの両側面に軸受けを設け、当該軸受けのうち、前記動力出力部側に他方の軸受よりラジアル方向の耐軸荷重が大きな軸受が装着され、
前記出力段のギアが前記出力軸の軸心方向に沿って動力出力部側に偏在していることを特徴とする破砕装置。
【請求項２】
前記変速機構は、前記出力軸の一端側が前記破砕装置の回転軸を嵌入支持する中空に形成され、その中空部位に前記出力段のギアが偏在している請求項１に記載の破砕装置。
【請求項３】
前記変速機構は、前記出力段のギアがはすばギアで構成され、スラスト荷重が前記他方の軸受に掛かるように歯の捩れ角が設定されている請求項１または２記載の破砕装置。
【請求項４】
前記変速機構は、前記ケーシングの前縁部及び後縁部が、外方に向けた凸状の曲面で前記上縁部及び下縁部の端部より内側に連なるように形成され、前記上縁部及び下縁部の端部近傍に、当該変速機構を支持体に取り付ける取付部が設けられている請求項１から３の何れかに記載の破砕装置。
【請求項５】
前記変速機構は、前記ケーシングの上縁部と下縁部が一端側から他端側に間隔が次第に狭まるように形成されている請求項１から４の何れかに記載の破砕装置。
【請求項６】
前記変速機構は、前記ケーシングの両側内壁に渡って配置され、ギアの歯部でかき上げられた潤滑油を受けて、前記両側内壁夫々に案内する案内部材が、前記中心線に対して対称位置に夫々配置されている請求項１から５の何れかに記載の破砕装置。
【発明の詳細な説明】
【技術分野】
【０００１】
本発明は、駆動機からの動力を負荷側の回転軸に伝達する変速機構を備えた破砕装置に関する。
【背景技術】
【０００２】
変速機構を介して駆動機からの動力を負荷側の回転軸に伝達する場合、通常、変速機構のケーシングの一側面から延出した入力軸に、駆動機の出力軸がベルトなどを介して連結されるとともに、ケーシングの他側面から延出した出力軸に、負荷側の回転軸がカップリングなどを介して連結される。
【０００３】
従って、負荷側の機器の回転軸との連結位置に対応して変速機構を設計する必要がある。例えば、図９（ａ）に示すように、負荷側の機器８０のフレームの一側部８１に負荷側の回転軸８２が位置する場合と、図９（ｂ）に示すように、負荷側の機器８５のフレームの他側部８６に負荷側の回転軸８７が位置する場合とでは、変速機構８４，８８のケーシングから出力軸８５，８９が延出する面が反対となるため、迅速な納入を実現するために負荷側の機器に対応した変速機構を予め準備しておく必要がある。
【０００４】
しかし、夫々の変速機構を準備すると在庫管理が煩雑になり、また、部品の共通化が図り辛いためにコストが嵩むという問題があった。
【０００５】
そこで、特許文献１には、図１０（ａ），（ｂ）に示すように、原動機の駆動軸と作業機の従動軸との一方が嵌合される嵌合部９１を有する第一のギア９２と、第一のギア９２と噛み合い、且つ、駆動軸と従動軸との他方が嵌合される嵌合部９３を有する第二のギア９４と、第二のギア９４と第一のギア９２とを夫々回転可能に支持した状態でこれらを被覆するケーシング９５を備えた伝動機構９０が提案されている。
【０００６】
このような伝動機構によれば、原動機の駆動軸と負荷側の従動軸との距離を大幅に縮めて装置のコンパクト化を図ることができる。
【特許文献１】特開昭６３−７５６４４号公報
【発明の開示】
【発明が解決しようとする課題】
【０００７】
特許文献１に記載された変速機構は、ケーシングの何れの側面からでも駆動機及び負荷側の回転軸とも連結可能となるため、負荷側の機器のフレームの何れの側に回転軸が位置する場合であっても一種類の伝動機構で対応可能となる。
【０００８】
しかし、このような変速機構は、どのような姿勢で支持部に固定されるのかに対応して、別途の取付部材を介して固定する必要があり、そのための後加工等の煩雑な作業を強いられるという問題があった。
【０００９】
また、ケーシングの両側面に対してギアが中心線に対して左右対称に組み込まれているため、負荷側の機器に大きなトルクを伝達する必要がある場合等、大きな変速比を確保するために変速用のギアを増やすと、各ギアの連接方向に大型になるという問題がある。
【００１０】
そこで、各ギアを中心線に対して左右何れかに偏在するように配置して、多段にギア連結することにより小型化することも考えられるが、負荷側の回転軸に何れの側から変速機の出力軸に連結されるのかによって、ギアの回転軸の軸受にかかる軸荷重が異なるため、双方に備えて十分な耐軸荷重を備えた軸受を装着する必要があり、部品コストが嵩むという問題が内在していた。
【００１１】
特に、周部に複数の破砕刃が締着された破砕ロータの回転により、電化製品、建築廃材、などの廃棄物を小サイズに破砕する一軸剪断破砕装置になどに用いる変速機構では、非常に大きなトルクが要求され、非常に重い破砕ロータの回転軸の重量を出力軸側の軸受で支持する必要があるため、何れの側に取り付ける場合にも備えて夫々個別に変速機構を準備せざるを得ないという問題があった。
【００１２】
本発明は、上述の問題点に鑑み、負荷側の機器の何れの側に取り付ける場合であっても兼用でき、且つ、部品コストを低減することが可能で、煩雑な在庫管理を要しない変速機構を備えた破砕装置を提供する点にある。
【課題を解決するための手段】
【００１３】
上述の目的を達成するため、本発明による破砕装置の第一の特徴構成は、特許請求の範囲の書類の請求項１に記載した通り、駆動機からの動力を負荷側の回転軸に伝達する変速機構を備えた破砕装置であって、前記変速機構は、上縁部と下縁部が中心線に対して対称となるように形成されたケーシングと、前記中心線上に入力段のギア及び出力段のギアの軸心が位置するように前記ケーシングに収容された変速ギア機構とを備え、前記ケーシングの前記上縁部と下縁部の双方に当該変速機構を支持体に固定する取付部を備え、前記ケーシングの前記上縁部と下縁部に連なる一側面に前記駆動機からの動力を前記入力段のギアに伝達する動力入力部を設けるとともに、前記ケーシングの他側面に前記出力段のギアからの動力を前記回転軸に伝達する動力出力部を設けて、前記出力段のギアに連結された出力軸を支持するとともに、前記負荷側の回転軸からのラジアル荷重を前記ケーシングで受けるように前記ケーシングの両側面に軸受けを設け、当該軸受けのうち、前記動力出力部側に他方の軸受よりラジアル方向の耐軸荷重が大きな軸受が装着され、前記出力段のギアが前記出力軸の軸心方向に沿って動力出力部側に偏在している点にある。
【００１４】
上述の構成によれば、変速機構を中心線周りに１８０度回転させることにより、負荷側の回転軸が何れの側に設けられていても取り付けることができるようになるが、その際に上縁部及び下縁部の何れにも取付部が設けられているため、当該変速機構を支持体に固定する際の自由度が増し、使い勝手が向上する。
【００１５】
出力段のギアに連結された出力軸を支持するように前記ケーシングの両側面に設けた軸受のうち、前記動力出力部側に他方の軸受より耐軸荷重が大きな軸受が装着されているため、負荷側の回転軸が重量物であっても、ラジアル荷重を受けることができる。これにより、例えば、負荷側の回転軸の軸受と兼用させることができ、コストの増大を招くことなく、より安定且つ信頼性の高い変速機構を実現できるようになる。
【００１６】
当該変速機構は、非常に大きなトルクが要求され、非常に重い破砕ロータの回転軸の重量を出力軸側の軸受で支持する必要がある破砕装置に好適に採用することができ、信頼性の高い破砕装置を実現することができるようになる。
【００１７】
同第二の特徴構成は、同請求項２に記載した通り、上述の第一特徴構成に加えて、前記変速機構は、前記出力軸の一端側が、負荷側の回転軸を嵌入支持する中空に形成され、その中空部位に前記出力段のギアが偏在している点にある。
【００１８】
出力軸により負荷側の回転軸を嵌入支持することができるため、別途のカップリングを用いて連結する必要がなく、部品点数の削減と装置のコンパクト化を図ることができる。
【００１９】
同第三の特徴構成は、同請求項３に記載した通り、上述の第一または第二特徴構成に加えて、前記変速機構は、前記出力段のギアがはすばギアで構成され、スラスト荷重が前記他方の軸受に掛かるように歯の捩れ角が設定されている点にある。
【００２０】
スラスト荷重が前記他方の軸受に掛かるように、出力段のギアがはすばギアで構成されているため、動力出力部側の軸受に掛かる軸荷重を軽減させることができる。
【００２１】
同第四の特徴構成は、同請求項４に記載した通り、上述の第一から第三の何れかの特徴構成に加えて、前記変速機構は、前記ケーシングの前縁部及び後縁部が、外方に向けた凸状の曲面で前記上縁部及び下縁部の端部より内側に連なるように形成され、前記上縁部及び下縁部の端部近傍に、当該変速機構を支持体に取り付ける取付部が設けられている点にある。
【００２２】
上述したように、当該変速機構は、中心線周りに１８０度回転させることにより、負荷側の回転軸が何れの側に設けられていても取り付けることができるようになるが、その際に上縁部及び下縁部の何れにも取付部が設けられているため、より使い勝手が増す。しかも、前縁部及び後縁部が外方に向けた凸状の曲面で上縁部及び下縁部の端部より内側に連なるように形成され、且つ、取付部が上縁部及び下縁部の端部近傍に設けられているため、前縁部及び後縁部と上縁部及び下縁部が夫々接合する部位に形成される空間が、ケーシングを支持体に取り付ける際の作業空間として有効に利用できるようになり、変速機構をさらにコンパクトに構成できるようになる。
【００２３】
同第五の特徴構成は、同請求項５に記載した通り、上述の第一から第四の何れかの特徴構成に加えて、前記変速機構は、前記ケーシングの上縁部と下縁部が一端側から他端側に間隔が次第に狭まるように形成されている点にある。
【００２４】
上述の構成によれば、ケーシングの容積を小さくして、ケーシング内に封入する潤滑油の油糧を少なくすることができるようになる。
【００２５】
同第六の特徴構成は、同請求項６に記載した通り、上述の第一から第五の何れかの特徴構成に加えて、前記変速機構は、前記ケーシングの両側内壁に渡って配置され、ギアの歯部でかき上げられた潤滑油を受けて、前記両側内壁夫々に案内する案内部材が、前記中心線に対して対称位置に夫々配置されている点にある。
【００２６】
上述の構成によれば、ギアの歯部でかき上げられた潤滑油が案内部材に受けられ、案内部材に受けられた潤滑油が、ケーシングの両側内壁に案内されて軸受に供給することができるので、ケーシングの形状を大きくすることなく、左右の軸受に十分な潤滑油を供給することができるようになる。
【発明の効果】
【００２７】
以上説明した通り、本発明によれば、負荷側の機器の何れの側に取り付ける場合であっても兼用でき、且つ、部品コストを低減することが可能で、煩雑な在庫管理を要しない変速機構を備えた破砕装置を提供することができるようになった。
【発明を実施するための最良の形態】
【００２８】
以下に本発明による破砕装置の好ましい実施形態を説明する。
図１から図４に示すように、破砕装置１は、電化製品、建築廃材、プラスチックなどの被破砕物を投入する受入ホッパ２と、ホッパ２に投入された被破砕物を破砕処理する破砕処理部１００と、破砕処理部１００に向けて水平方向から被破砕物を押圧する押込プッシャ３を備えている。
【００２９】
破砕処理部１００の下部には、破砕処理部１００で所定サイズ以下に破砕された被破砕物を選択的に通過させるスクリーン機構８と、スクリーン機構８を通過した被破砕物を受け止める排出ホッパ９が設けられている。
【００３０】
油圧ポンプ（図示せず）からの圧油により伸縮作動する油圧シリンダのピストンに連結されたアーム３ａがプッシャ３の後端に連結され、以って、プッシャ３は台板４上を摺動かつ進退動自在に駆動される。
【００３１】
破砕処理部１００は、受入ホッパ２の下方に配置され、周部に複数個の破砕刃５ａ（以下、「回転刃」とも記す。）が取り付けられた破砕ロータ５と、破砕ロータ５に対向配置された固定刃６，７を備えて構成されている。
【００３２】
破砕ロータ５の周部には、所定のピッチで互いに平行な多数のＶ字状の溝５ｖが形成され、このＶ字溝５ｖ内に形成された複数個の取付座５ｂの夫々に回転刃５ａがボルトで締着されている。それぞれの回転刃５ａは、隣り合うＶ字溝５ｖに設けられているもの同士がその頂点を連ねるとジグザグ状になるように配置されている。
【００３３】
台板４の端部に固定された第一固定刃６と、第一固定刃６と対向して本体フレーム１０に基端側に固定された第二固定刃７との間に位置するように、破砕ロータ５が左右の本体フレーム１０の間に設置されている。
【００３４】
押込プッシャ３により破砕処理部１００に向けて押圧された被破砕物が、破砕ロータ５の回転に伴なって回転する回転刃５ａと固定刃６，７との間で剪断破砕される。
【００３５】
スクリーン機構８は、破砕ロータ５の回転軌跡に沿った弧状に湾曲形成され、多数の小孔が形成されたパンチングメタルで構成され、破砕処理部１００で破砕された被破砕物のうちスクリーン機構８の小孔より小径の被破砕物が、スクリーン機構８から落下して排出ホッパ９に収容される。
【００３６】
本体フレーム１０と共通の架台に固定された、駆動機の一例である電動機Ｍからの動力が、本体フレーム１０の一側部１０ａに組み付けた支持体の一例である取付架台１１ａに装着された、変速機構の一例である減速機構３０を介して、破砕ロータ５の回転軸５０に伝達される。
【００３７】
破砕ロータ５の回転軸５０の一端側５０ａが、減速機構３０の中空の出力軸３７に嵌着され、他端側５０ｂが本体フレーム１０の他側部１０ｂに組み付けた取付架台１１ｂに装着された軸受１２で支持されている。
【００３８】
電動機Ｍの出力軸と減速機構３０の入力軸３１がプーリ１３，１５を介してＶベルト１４で連結され、減速機構３０により所定の回転速度に減速された電動機Ｍの動力が、減速機構３０の出力軸３７を介して破砕ロータ５の回転軸５０に伝達される。
【００３９】
以下、減速機構３０について詳述する。図５に示すように、減速機構３０は、正面視が略台形状のケーシング３９と、ケーシング３９に収容された減速ギア機構３００を備えている。
【００４０】
減速ギア機構３００は、電動機Ｍからの動力を入力する入力軸３１と、入力軸３１の周面に形成された第一ギア３２と、第一ギア３２と噛合する第二ギア３３と、第二ギア３３に挿通された回転軸３４と、回転軸３４の周面に形成された第三ギア３５と、第三ギア３５と噛合する第四ギア３６と、第四ギア３６に挿通された出力軸３７を備えて構成されている。なお、第一ギア３２及び第三ギア３５は回転軸の周部に歯が形成された構成であるが、夫々の回転軸に挿通されるものであってもよい。
【００４１】
入力軸３１は、ケーシング３９の内壁に固定された軸受４０，４１で支持され、回転軸３４の両端は軸受４２，４３で支持され、出力軸３７の両端は軸受４４，４５で支持されている。
【００４２】
出力軸３７の一端側は中空に形成され、当該中空部に破砕ロータ５の回転軸５０の一端側５０ａが嵌入される。当該回転軸５０の端部に形成されたキー溝と出力軸３７の中空部に形成されたキーが係合連結されるように構成されている。
【００４３】
ケーシング３９は、上縁部３９ａと下縁部３９ｂが中心線ＣＬに対して対称で、且つ、一端側３９ｃから他端側３９ｄに間隔が次第に狭まるように形成され、当該中心線ＣＬ上に入力段のギア３２の軸心、つまり入力軸３１の軸心Ｐ１と、回転軸３４の軸心Ｐ２と、出力段のギア３６の軸心、つまり出力軸３７の軸心Ｐ３が位置するように減速ギア機構３００が収容されている。
【００４４】
ケーシング３９の上縁部３９ａと下縁部３９ｂに連なる前縁部３９ｅに電動機Ｍからの動力を入力段のギア３２に伝達する動力入力部３１Ａが設けられ、ケーシング３９の後縁部３９ｆ側に出力段のギア３６からの動力を破砕ロータ５の回転軸５０に伝達する動力出力部３７Ａが設けられている。
【００４５】
入力段のギア３２が動力入力部３１Ａ側に偏在するように構成されるとともに、出力段のギア３６が動力出力部３７Ａ側に偏在するように配置されている。
【００４６】
入力段のギア３２に連結された入力軸３１を支持するようにケーシング３９の内壁面に設けた軸受４０，４１のうち、入力段のギア３２が偏在する側に他方の軸受４１よりラジアル方向の耐軸荷重が大きな軸受４０が装着され、出力段のギア３６に連結された出力軸を支持するようにケーシング３９の内壁面に設けた軸受４４，４５のうち、出力段のギア３６が偏在する側に他方の軸受４４よりラジアル方向の耐軸荷重が大きな軸受４５が装着されている。
【００４７】
さらに、各段のギアが夫々はすばギアで構成され、出力段のギア３６は、スラスト荷重が他方の軸受４４に掛かるように歯の捩れ角が設定されている。従って、動力出力部側の軸受に掛かる軸荷重が軽減されるようになる。
【００４８】
つまり、破砕ロータ５からのラジアル方向の荷重を多く受ける軸受４５に耐荷重が大きな軸受を使用するとともに、軸受４４でスラスト荷重を多く受けるように構成することにより、軸受４４，４５に負荷される荷重を調整し、夫々の軸受４４，４５の耐久性がほぼ同等となるように構成されている。
【００４９】
これにより、負荷側の回転軸の軸受と兼用させることができ、コストの増大を招くことなく、より安定且つ信頼性の高い変速機構を実現できるようになる。
【００５０】
ケーシング３９の一端側３９ｃ及び他端側３９ｄが、外方に向けた凸状の曲面で上縁部３９ａ及び下縁部３９ｂの端部より内側に連なるように形成され、上縁部３９ａ及び下縁部３９ｂの端部近傍に、当該減速機構３０を取付架台１１ａに取り付ける取付部４６が形成され、当該取付部４６にボルト孔が形成され、中央部に位置決め用のピン孔４７が形成されている。
【００５１】
図６及び図７に示すように、減速機構３０は中心線ＣＬ周りに１８０度回転させることで、本体フレーム１０の一側部１０ａ側と反対側の他側部１０ｂ側に取り付けることができることができる。負荷側の機器の何れの側に取り付ける場合であっても兼用でき、且つ、部品コストを低減することが可能で、煩雑な在庫管理を要しない減速機構を提供することができるようになった
【００５２】
さらに、減速機構３０には、図８（ａ），（ｂ）に示すように、ケーシング３９の両側内壁に、上述した軸受４０，４１，４２，４３，４４，４５を凹部で支持するためのリブ６０が連接するように突出形成され、リブ６０の一部がケーシング３９の上縁部３９ａに向けて延出形成された延出部６１が形成されている。なお、ケーシング３９内には、入力軸３１の軸受４０，４１の一部が浸る程度の潤滑油が封入されている。
【００５３】
上縁部３９ａと下縁部３９ｂが一端側３９ｃから他端側３９ｄに間隔が次第に狭まるようにケーシング３９が形成されているため、ケーシングの容積を小さくして、ケーシング内に封入する潤滑油の油量を少なくすることができるようになる。
【００５４】
対向配置された延出部６１間に渡って樋状の案内部材６２が配置され、ギア３６の歯部でかき上げられた潤滑油を受けて、延出部６１に沿ってリブ６０上に潤滑油を案内するように構成されている。案内部材６２の長手方向の縁部のうち、潤滑油の受け側と反対側中央に取付板が溶着され、当該取付板を介してケーシング３９の上縁部３９ａ及び下縁部３９ｂ夫々の内壁に形成された取付部（取付孔等）にビス止め或は溶着されている。
【００５５】
案内部材６２は、ギア３６の歯部でかき上げられた潤滑油をケーシング３９の両側内壁に均等量案内するように、ギア３６の歯幅間の所定位置でケーシング３９の前縁側３９ｅ、後縁側３９ｆの内壁に向かって傾斜するように形成されていることが好ましいが、水平姿勢であってもよい。ギア３６の歯幅間の所定位置とは、ギア３６が平歯ギアである場合にはギア３６のセンター位置、ギア３６がはすばギアである場合にはギア３６のセンター位置から潤滑油のかき上げられる方向に偏った位置である。
【００５６】
リブ６０が連接された凹部には平板６３が溶着され、案内部材６２からリブ６０に沿って流出した潤滑油を滞留させる油溜り６４が形成され、油溜り６４から軸受４２，４３，４４，４５に潤滑油を供給する供給経路６５，６６が形成されている。
【００５７】
従って、ギア３６が回転軸３７に沿って何れかに偏在するように配置される場合であっても、案内部材６２に受けられた潤滑油が、リブ６０に形成された油溜り６４に滞留され、供給経路６５，６６に沿って軸受４２，４３，４４，４５に潤滑油が供給されるので、ケーシング３９の形状を大きくすること無く、左右の軸受に十分な潤滑油を供給することができるようになる。
【００５８】
なお、リブ６０、延出部６１、案内部材６２、油溜り６４、供給経路６５，６６は、中心線ＣＬに対して上縁部３９ａ側と下縁部３９ｂ側が対称の形状に形成することで、上縁部３９ａ、下縁部３９ｂのどちらを底面にして設置しても、軸受４２，４３，４４，４５に潤滑油を供給することができる。
【００５９】
従って、負荷側の機器の何れの側に取り付ける場合であっても兼用でき、且つ、部品コストを低減することが可能で、煩雑な在庫管理を要しない減速機構を提供することができるようになる。
【００６０】
当該減速機構３０が、下端部３９ｂと上端部３９ａの何れを底面にして設置されるのかが製造時に予め判明している場合には、上述した案内部材６２、平板６３は必要な一方のみが組み込まれるが、ケーシング３９には、不要な他方の案内部材と平板の取付部、及び供給経路が形成されている。上述した取付部４６に形成されるボルト孔や位置決め用のピン孔４７も同様に、必要な一方のみが形成される。
【００６１】
上述した実施形態では、減速機構３０を取り付ける取付架台１１ａを本体フレーム１０の一側部１０ａに組み付ける構成について説明したが、減速機構は本体フレーム１０と組み付けられていない支持体に取り付ける構成でもよい。
【００６２】
上述した実施形態では、破砕ロータ５の軸５０を支持する軸受１２及び軸受４５について、特に明示しなかったが、玉軸受、ころ軸受、すべり軸受等適宜選択することができる。
【００６３】
上述した実施形態では、中空に形成された出力軸３７に破砕ロータ５の回転軸５０の一端を嵌入し、回転軸５０の端部に形成されたキー溝と出力軸３７の中空部に形成されたキーが係合連結される構成について説明したが、出力軸を中空にせず、破砕ロータの回転軸とカップリングにより接続する構成であってもよい。
【００６４】
上述した実施形態では、駆動機の一例として電動機を備えた構成について説明したが、駆動機としては電動機に限られず、エンジン等その他動力を生じるものを備えた構成であってもよい。
【００６５】
上述した実施形態では、変速機構として減速機構を例に説明したが、本発明の変速機構は増速機構にも適用可能である。
【００６６】
以上説明した破砕装置や、変速機構としての減速機構及びその軸受等の具体的構成は実施形態の記載に限定されるものではなく、本発明による作用効果を奏する範囲において適宜変更設計可能であることはいうまでもない。
【図面の簡単な説明】
【００６７】
【図１】本発明による破砕装置の概略図
【図２】本発明による破砕装置の正面図
【図３】本発明による破砕装置の平面図
【図４】本発明による破砕装置の左側面図
【図５】（ａ）は、減速機構の平断面図、（ｂ）は、減速機構の正面図
【図６】本発明による破砕装置の平面図
【図７】本発明による破砕装置の左側面図
【図８】（ａ）は、減速機構内部の説明図、（ｂ）は減速機構内部の説明図
【図９】（ａ）は、減速機構の取り付け位置の説明図、（ｂ）は、減速機構の取り付け位置の説明図
【図１０】従来の変速機構の説明図
【符号の説明】
【００６８】
１：破砕装置
２：受入ホッパ
３：押込プッシャ
３ａ：アーム
４：台板
５：破砕ロータ
５ａ：破砕刃
５ｂ：取付座
５ｖ：溝
６：第一固定刃
７：第二固定刃
８：スクリーン機構
９：排出ホッパ
１０：本体フレーム
１０ａ：一側部
１０ｂ：他側部
１１ａ：取付架台
１１ｂ：取付架台
１２：軸受
１３：プーリ
１４：Ｖベルト
１５：プーリ
３０：変速機構（減速機構）
３１：入力軸
３１Ａ：動力入力部
３２：第一ギア
３３：第二ギア
３４：回転軸
３５：第三ギア
３６：第四ギア
３７：出力軸
３７Ａ：動力出力部
３９：ケーシング
３９ａ：上縁部
３９ｂ：下縁部
３９ｃ：一端側
３９ｄ：他端側
３９ｅ：前縁部
３９ｆ：後縁部
４０：軸受
４１：軸受
４２：軸受
４３：軸受
４４：軸受
４５：軸受
４６：取付部
４７：ピン孔
５０：回転軸
５０ａ：一端側
５０ｂ：他端側
６０：リブ
６１：延出部
６２：案内部材
６３：平板
６４：油溜り
６５：供給経路
６６：供給経路
１００：破砕処理部
３００：減速ギア機構
ＣＬ：中心線
Ｐ１：軸心
Ｐ２：軸心
Ｐ３：軸心
Ｍ：電動機
【図１】
0005260117.tif 000002
【図２】
0005260117.tif 000003
【図３】
0005260117.tif 000004
【図４】
0005260117.tif 000005
【図５】
0005260117.tif 000006
【図６】
0005260117.tif 000007
【図７】
0005260117.tif 000008
【図８】
0005260117.tif 000009
【図９】
0005260117.tif 000010
【図１０】
0005260117.tif 000011